(57)【要約】【課題】たとえ音響装置本体に表示手段が無い、または、表示手段の表示領域が小さい場合であっても、ヘッドホンを接続した際の音量についてユーザに対して十分な注意喚起を行うこと。【解決手段】音響装置１０の音量制御部１８が、ヘッドホン４０の接続が検出された場合に、音量が徐々に目標値に近づくように制御する制御処理を実行し、表示制御部１９が、目標値の情報、および、制御処理実行時の音量の情報を、有線通信または無線通信により音響装置１０外に設置された表示装置３０に音量に係る情報として送信し、表示装置３０に音量に係る情報を表示させる。【選択図】図１
2013126060.tif 000002
【特許請求の範囲】
【請求項１】
ヘッドホンに出力する音声信号の音量を制御する音響装置であって、
前記ヘッドホンの接続を検出する接続検出部と、
該接続検出部により前記ヘッドホンの接続が検出された場合に、前記音量の制御を行う音量制御部と、
該音量制御部による制御によって設定された前記ヘッドホンの音量に係る情報を、有線通信または無線通信により前記音響装置外に設置された表示装置に送信し、該表示装置に前記音量に係る情報を表示させる表示制御部と、
前記音量の目標値を記憶する記憶部と、
をさらに備え、
前記音量制御部は、前記接続検出部により前記ヘッドホンの接続が検出された場合に、前記音量が徐々に前記目標値に近づくように制御する制御処理を実行し、前記表示制御部は、前記目標値の情報、および、前記制御処理実行時の音量の情報を、前記音量に係る情報として送信することを特徴とする音響装置。
【請求項２】
前記音量制御部は、前記接続検出部により前記ヘッドホンの接続が検出された場合に、所定の音量で前記音声信号を出力し、該音声信号の出力を開始した後、所定の時間経過した場合に前記制御処理を実行することを特徴とする請求項１に記載の音響装置。
【請求項３】
前記目標値は、前回ヘッドホンの接続がなされた後、該接続が解除された際の音量の値であることを特徴とする請求項１または２に記載の音響装置。
【請求項４】
前記音量に係る情報は、前記音量についてユーザに注意を促すメッセージを含むことを特徴とする請求項１〜３のいずれか１項に記載の音響装置。
【発明の詳細な説明】
【技術分野】
【０００１】
本発明は、ヘッドホンに出力する音声信号の音量を制御する音響装置に関する。
【背景技術】
【０００２】
ＡＶアンプなどの音響装置には、ヘッドホン端子が設けられるのが一般的である。このような音響装置でヘッドホンを用いて音声を聴く場合、前回の音量の設定が維持されていると、ヘッドホンのインピーダンスによっては音量が非常に大きくなり、ヘッドホンを破損したり、ユーザの耳を痛めたりする可能性がある。
【０００３】
そのため、特許文献１には、ヘッドホンの接続が検出されたが、ヘッドホン接続端子から所定の距離内に人体の存在が検出されない場合（すなわち、ユーザがヘッドホンを抜き取る可能性が無い場合）に、出力音量を第１の音量以上の音量で出力し、ヘッドホンの接続が検出されず、かつ、ヘッドホン接続端子から所定の距離内に人体の存在が検出された場合（すなわち、ユーザがヘッドホンを接続する可能性がある場合）に、出力音量を第１の音量よりも小さい第２の音量に低下させる音声再生装置が開示されている。
【０００４】
さらに、この音声再生装置は、出力音量を第２の音量に低下させている場合に、そのような状態にあることを示す表示を行う表示手段をさらに備えており、表示手段がその表示を行うことにより安心してヘッドホンの接続ができることをユーザに知らせることができる。
【先行技術文献】
【特許文献】
【０００５】
【特許文献１】特開２００８−６６８４２号公報
【発明の概要】
【発明が解決しようとする課題】
【０００６】
しかしながら、上述した特許文献１の従来技術では、音声再生装置に表示手段を設けなければならず、汎用性がないという課題がある。一般に用いられているＡＶアンプなどの音響装置では、表示手段が無いもの、または、表示手段があってもその表示領域が小さいものが多く、そのような音響装置では、ユーザに対する注意喚起ができないか、または、表示が分かりにくく注意喚起が不十分となる。
【０００７】
また、上述した特許文献１の従来技術では、表示手段は、出力音量が第２の音量に低下している場合に、そのような状態にあることを示す表示を行うだけであるので、最終的に出力音量がどのようになるかをユーザは知ることができず、出力音量について十分に注意を払うことが難しいという問題がある。
【０００８】
本発明は、上記実情に鑑み、たとえ装置本体に表示手段が無い、または、表示手段の表示領域が小さい場合であっても、ヘッドホンを接続した際の音量についてユーザに対して十分な注意喚起を行うことができる音響装置を提供することを目的とする。
【課題を解決するための手段】
【０００９】
上記課題を解決する為に、本発明の第１の技術手段は、ヘッドホンに出力する音声信号の音量を制御する音響装置であって、前記ヘッドホンの接続を検出する接続検出部と、該接続検出部により前記ヘッドホンの接続が検出された場合に、前記音量の制御を行う音量制御部と、該音量制御部による制御によって設定された前記ヘッドホンの音量に係る情報を、有線通信または無線通信により前記音響装置外に設置された表示装置に送信し、該表示装置に前記音量に係る情報を表示させる表示制御部と、前記音量の目標値を記憶する記憶部と、をさらに備え、前記音量制御部は、前記接続検出部により前記ヘッドホンの接続が検出された場合に、前記音量が徐々に前記目標値に近づくように制御する制御処理を実行し、前記表示制御部は、前記目標値の情報、および、前記制御処理実行時の音量の情報を、前記音量に係る情報として送信することを特徴とする。
【００１０】
本発明の第２の技術手段は、第１の技術手段において、前記音量制御部は、前記接続検出部により前記ヘッドホンの接続が検出された場合に、所定の音量で前記音声信号を出力し、該音声信号の出力を開始した後、所定の時間経過した場合に前記制御処理を実行することを特徴とする。
【００１１】
本発明の第３の技術手段は、第１または第２の技術手段において、前記目標値は、前回ヘッドホンの接続がなされた後、該接続が解除された際の音量の値であることを特徴とする。
【００１２】
本発明の第４の技術手段は、第１〜第３のいずれかの技術手段において、前記音量に係る情報は、前記音量についてユーザに注意を促すメッセージを含むことを特徴とする。
【発明の効果】
【００１３】
本発明によれば、ヘッドホンの接続が検出された場合に、音量が徐々に目標値に近づくように制御する制御処理を実行し、目標値の情報、および、制御処理実行時の音量の情報を、有線通信または無線通信により音響装置外に設置された表示装置に音量に係る情報として送信し、表示装置に音量に係る情報を表示させることとしたので、たとえ音響装置本体に表示手段が無い、または、表示手段の表示領域が小さい場合であっても、ヘッドホンを接続した際の音量についてユーザに対する注意喚起を十分に行うことができる。
【図面の簡単な説明】
【００１４】
【図１】本発明の実施形態に係る音響装置の構成の一例を示す図である。
【図２】本発明の実施形態に係る音量制御の一例を示す図である。
【図３】音量を線形増加または非線形増加させる制御の例について説明する図である。
【図４】音量に係る情報を含む表示画面の一例を示す図である。
【図５】図４に示した表示画面における音量表示の推移の一例を示す図である。
【図６】音量に係る情報を含む表示画面の別の一例を示す図である。
【図７】本発明の実施形態に係る音量制御処理の処理手順の一例を示すシーケンス図である。
【図８】図７に示した音量制御処理の処理手順に続くシーケンスを示すシーケンス図である。
【発明を実施するための形態】
【００１５】
以下、本発明の実施形態について図面を参照して詳細に説明する。図１は、本発明の実施形態に係る音響装置１０の構成の一例を示す図である。音響装置１０は、入力ボタン１１、音量調整ダイヤル１２、通信処理部１３、ヘッドホン接続端子１４、接続検出部１５、スピーカー接続端子１６、記憶部１７、音量制御部１８、表示制御部１９、音声出力部２０、制御部２１を備える。
【００１６】
入力ボタン１１は、ユーザからの各種入力操作を受け付けるボタンである。音量調整ダイヤル１２は、ヘッドホンに出力される音声信号の音量の調整操作をユーザから受け付けるダイヤルである。
【００１７】
通信処理部１３は、他の装置と通信を行う処理部である。他の装置との通信は、有線接続による通信、無線接続による通信のいずれであってもよい。図１の例では、通信処理部１３は、ＨＤＭＩ（High-Definition Multimedia Interface）ケーブルを介して接続された表示装置３０と、ＡＲＣ（Audio Return Channel）の機能を用いて音声信号の送受信を行う。ここで、表示装置３０は、音響装置１０外に、音響装置１０とは独立に設置されたテレビ受像機やモニタなどの表示装置である。
【００１８】
ヘッドホン接続端子１４は、ヘッドホン４０を音響装置１０に接続する端子である。接続検出部１５は、ヘッドホン４０がヘッドホン接続端子１４に接続されたことを検出する処理部である。例えば、接続検出部１５は、ヘッドホンが接続された場合に電圧が低レベルとなり、ヘッドホンが接続されていない場合に電圧が高レベルとなる一般的なヘッドホン検出回路を備え、その電圧を測定することによりヘッドホンの接続の有無を検出する。スピーカー接続端子１６は、スピーカー５０を音響装置に接続する端子である。
【００１９】
記憶部１７は、メモリやハードディスクなどの記憶デバイスである。記憶部１７は、初期音量データ１７ａ、目標音量データ１７ｂを記憶する。初期音量データ１７ａは、接続検出部１５によりヘッドホン４０の接続が検出され、音声信号の出力を開始する場合に、初めに設定される音量のデータである。この音量は、適宜所定の値に設定されるが、例えば、インピーダンスの異なるさまざまなヘッドホンがある場合に、どのヘッドホンを用いても音量が過大にならないようにするため、最もインピーダンスが小さく、かつ、感度（能率）が低いヘッドホンで快適に音声を聴くことができる値に設定される。
【００２０】
目標音量データ１７ｂは、初期音量データ１７ａに記憶されている音量から徐々に音量を変化させる場合に、その音量の到達目標とされる音量のデータである。例えば、この音量には、前回ヘッドホンが接続され、その後その接続が解除された際の音量の値が用いられる。以下に、本実施形態に係る音量制御の一例について説明する。
【００２１】
図２は、本発明の実施形態に係る音量制御の一例を示す図である。図２において、時刻ｔ１にヘッドホン４０の接続が検出されたものとする。この場合、音声信号の出力が即座に開始されるが、その際の音量は、初期音量データ１７ａとして記憶された値（初期音量）となるよう制御される。この音量は、所定の時間維持される（時刻ｔ１〜ｔ２）。これにより、所定の時間は過大な音量とならないことが保証される。
【００２２】
その後、時刻ｔ２〜ｔ４において、音量が徐々に目標音量データ１７ｂに記憶された値（目標音量）に近づくように制御される。目標音量が初期音量よりも大きい場合、音量は徐々に増加する（図２の太い実線）。目標音量が初期音量よりも小さい場合、音量は徐々に減少する（図２の太い一点鎖線）。
【００２３】
また、音量が大きすぎると感じた場合、ユーザは音量調整ダイヤル１２を操作して、音量を下げることができる（図２の時刻ｔ３以降の細い実線）。逆に、音量が小さすぎると感じた場合、ユーザは音量調整ダイヤル１２を操作して、音量を上げることができる（図２の時刻ｔ５以降の細い一点鎖線）。
【００２４】
さらに、時刻ｔ２〜ｔ４において音量を徐々に変化させる場合、初期音量から目標音量まで音量を、時間の経過に対して線形に増加させても良いし、非線形に増加させてもよい。図３は、音量を線形増加または非線形増加させる制御の例について説明する図である。図３は、図２のグラフにおける時間がｔ２〜ｔ４、音量が初期音量〜目標音量の範囲を示したものである。
【００２５】
音量を時間の経過に対して非線形に増加させる場合、図３のグラフ６０に示すように、早い段階で音量を目標音量に近づけることができる。この場合、ユーザは、グラフ６１、６２により表される制御に比べて、早く目標音量、すなわち前回ヘッドホンが用いられた際に設定された音量で音声を聴くことができる。
【００２６】
また、音量を時間の経過に対して音量を非線形に増加させる場合、図３のグラフ６１に示すように、音量が小さい期間を長くすることができる。この場合、グラフ６０、６２により表される制御に比べて、音量が目標音量に近づくタイミングを遅らせることができ、目標音量がユーザの望む音量でない場合などに、ユーザに音量調整操作をさせる時間的猶予を与えることができる。
【００２７】
音量制御部１８は、ヘッドホン４０やスピーカー５０に出力する音声信号の音量を制御する処理部である。例えば、音量制御部１８は、接続検出部１５によりヘッドホン４０の接続が検出された場合に、図２を用いて説明したように、音量を初期音量に設定し、その音量を所定の時間維持した後、音量を目標音量まで徐々に変化させる。また、音量制御部１８は、ユーザにより音量の調整操作を受け付けた場合に、その調整操作に応じた値となるよう音量を制御する。
【００２８】
表示制御部１９は、接続検出部１５によりヘッドホン４０の接続が検出された場合に、音響装置１０に接続された表示装置３０にヘッドホンの音量に係る情報を送信し、表示装置３０にその情報を表示させる処理部である。このような情報を音響装置１０以外の十分な表示領域を有する装置に表示させることにより、ヘッドホンを接続した際の音量についてユーザに対する注意喚起を十分に行うことができる。
【００２９】
ここで、音量に係る情報とは、例えば、図２で説明した目標音量の情報や、その時点でヘッドホン４０に出力している音声信号の音量の情報、音量についてユーザに注意を促す情報である。
【００３０】
図４は、音量に係る情報を含む表示画面７０の一例を示す図である。この表示画面７０には、目標音量７１と、その時点での音量７２が表示されている。図２を用いて説明したように、ユーザの音量調節操作が無い限り、その時点での音量７２は最終的には目標音量７１に一致する。
【００３１】
このような情報を表示することにより、ユーザはその後の音量の変化を予測し、十分な注意を払うことができる。また、その後の音量の変化が好ましくないものである場合、ユーザは音量調節ダイヤル１２を操作して、所望の音量に調整することができる。
【００３２】
図５は、図４に示した表示画面７０における音量表示の推移の一例を示す図である。図５（Ａ）は、図２のグラフにおける時間がｔ２〜ｔ４、音量が初期音量〜目標音量の範囲を示したものである。
【００３３】
図５（Ａ）の例では、時間が経過するにつれて、音量が初期音量から目標音量まで次第に増加する（図５（Ａ）のｉ〜ｖ）。この場合、図５（Ｂ）に示すように、その時点での音量７２を示すバーの長さは、目標音量７１を示すバーの長さにまで次第に長くなる。このように、目標音量７１やその時点での音量７２をバーの長さで表すことにより、ユーザが容易に現在の音量の状況を把握することができる。
【００３４】
また、図６は、音量に係る情報を含む表示画面７０の別の一例を示す図である。図６に示すように、表示制御部１９は、接続検出部１５によりヘッドホン４０の接続が検出された場合に、例えば、「ヘッドホンが接続されました。音量にご注意ください。」というようなメッセージ７３を表示装置３０に表示させる。このような情報を表示することにより、ユーザはヘッドホンの音量について十分な注意を払うことができる。
【００３５】
図１の説明に戻ると、音声出力部２０は、ヘッドホン接続端子１４やスピーカー接続端子１６を介して、音量制御部１８により制御される音量で音声信号をヘッドホン４０やスピーカー５０に出力する処理部である。制御部２１は、音響装置１０を全体的に制御するＣＰＵ（Central Processing Unit）などの制御デバイスである。制御部２１は、例えば、各機能部間のデータの授受を制御する。
【００３６】
つぎに、本発明の実施形態に係る音量制御処理の処理手順の一例について説明する。図７、図８は、本発明の実施形態に係る音量制御処理の処理手順の一例を示すシーケンス図である。なお、ここでは、音響装置１０が音声信号を表示装置３０から受信し、受信した音声信号をヘッドホンに出力する場合について説明する。
【００３７】
図７に示すように、まず、音響装置１０の音声出力部２０は、表示装置３０から音声信号を取得する要求があったか否かを判定する（ステップＳ１０１）。この要求は、例えば、入力ボタン１１を操作するなどしてユーザによりなされるものである。
【００３８】
音声信号を取得する要求がない場合（ステップＳ１０１においてＮＯの場合）、音声出力部２０は、音声信号を取得する要求があるまで、所定の時間間隔でステップＳ１０１の判定処理を繰り返す。音声信号を取得する要求があった場合（ステップＳ１０１においてＹＥＳの場合）、音声出力部２０は、表示装置３０に対して音声信号の送信を要求する（ステップＳ１０２）。
【００３９】
表示装置３０は、その要求を受け付け（ステップＳ１０３）、音響装置１０に対する音声信号の送信を開始する（ステップＳ１０４）。そして、音響装置１０の音声出力部２０は、音声信号の受信を開始する（ステップＳ１０５）。
【００４０】
その後、音響装置１０の接続検出部１５は、ヘッドホン４０がヘッドホン接続端子１４に接続されたか否かを判定する（ステップＳ１０６）。ヘッドホン４０が接続されていない場合（ステップＳ１０６においてＮＯの場合）、接続検出部１５は、ヘッドホン４０が接続されるまで、所定の時間間隔でステップＳ１０６の判定処理を繰り返す。
【００４１】
ヘッドホン４０が接続された場合（ステップＳ１０６においてＹＥＳの場合）、音響装置１０の音量制御部１８は、記憶部１７に記憶された初期音量データ１７ａおよび目標音量データ１７ｂから初期音量および目標音量のデータを読み出す（ステップＳ１０７）。
【００４２】
そして、音量制御部１８は、ヘッドホン４０に対して出力される音声信号の音量が、記憶部１７から読み出した初期音量となるよう制御する（ステップＳ１０８）。続いて、音響装置１０の音声出力部２０は、ヘッドホン４０に対する音声信号の出力を開始する（ステップＳ１０９）。
【００４３】
その後、音響装置１０の表示制御部１９は、目標音量の情報を表示装置３０に送信する（ステップＳ１１０）。そして、表示装置３０は、その情報を受信する（ステップＳ１１１）。さらに、表示制御部１９は、その時点で実際に出力している音声信号の音量の情報を表示装置３０に送信する（ステップＳ１１２）。そして、表示装置３０は、その情報を受信する（ステップＳ１１３）。そして、表示装置３０は、音響装置１０から受信した目標音量およびその時点での音量の情報を、図４に一例を示したようにして表示する（ステップＳ１１４）。
【００４４】
一方、音響装置１０の音量制御部１８は、ステップＳ１０８において音量を初期音量に制御する処理を開始してから所定の時間経過したか否かを判定する（ステップＳ１１５）。所定の時間が経過していない場合（ステップＳ１１５においてＮＯの場合）、音量制御部１８は、所定の時間が経過するまで、所定の時間間隔でステップＳ１１５の判定処理を繰り返す。
【００４５】
所定の時間が経過した場合（ステップＳ１１５においてＹＥＳの場合）、音量制御部１８は、図８に示すように、音量が目標音量に近づくように、音量を徐々に上げる処理、または、下げる処理を開始する（ステップＳ１１６）。音量を上げるか、下げるかは、初期音量よりも目標音量が大きいか小さいかに応じて選択される。
【００４６】
その後、表示制御部１９は、その時点で実際に出力している音声信号の音量の情報を表示装置３０に送信する（ステップＳ１１７）。そして、表示装置３０は、その情報を受信する（ステップＳ１１８）。続いて、表示装置３０は、表示しているその時点での音量の情報を新たに受信した情報で更新する（ステップＳ１１９）。
【００４７】
一方、音量制御部１８は、ユーザによる音量調整操作があったか否かを判定する（ステップＳ１２０）。この音量調整操作は、図２の例において、時刻ｔ２〜ｔ４の間に、音量調整ダイヤル１２の操作によりなされるものである。音量調整操作がない場合（ステップＳ１２０においてＮＯの場合）、音量制御部１８は、音量が目標値に到達したか否かを判定する（ステップＳ１２１）。
【００４８】
音量が目標値に到達していない場合（ステップＳ１２１においてＮＯの場合）、ステップＳ１１６に移行して、音量を徐々に上げる処理、または、下げる処理が継続される。ステップＳ１２０において、ユーザにより音量調整操作が行われた場合（ステップＳ１２０においてＹＥＳの場合）、音量制御部１８は、その操作に応じて音量を変更する（ステップＳ１２４）。
【００４９】
その後、表示制御部１９は、その時点で実際に出力している音声信号の音量の情報を表示装置３０に送信する（ステップＳ１２５）。そして、表示装置３０は、その情報を受信する（ステップＳ１２７）。続いて、表示装置３０は、表示しているその時点での音量の情報を新たに受信した情報で更新する（ステップＳ１２８）。
【００５０】
そして、表示装置３０は、音量に係る情報の表示を終了するか否かを判定する（ステップＳ１２９）。例えば、表示装置３０は、音響装置１０との接続を解除する指示をユーザから受け付けた場合に、音量に係る情報の表示を終了すると判定する。音量に係る情報の表示を終了する場合（ステップＳ１２９においてＹＥＳの場合）、この音量制御処理は終了する。音量に係る情報の表示を終了しない場合（ステップＳ１２９においてＮＯの場合）、ステップＳ１２７以降の処理を継続する。
【００５１】
ステップＳ１２１において、音量が目標値に到達した場合（ステップＳ１２１においてＹＥＳの場合）、音量制御部１８は、音量をその目標値に維持する（ステップＳ１２２）。そして、音量制御部１８は、ユーザによる音量調整操作があったか否かを判定する（ステップＳ１２３）。この音量調整操作は、図２の例において、時刻ｔ４以降に、音量調整ダイヤル１２の操作によりなされるものである。
【００５２】
ユーザによる音量調整操作があった場合（ステップＳ１２３においてＹＥＳの場合）、ステップＳ１２４に移行して、それ以後の処理が継続される。ユーザによる音量調整操作がない場合（ステップＳ１２３においてＮＯの場合）、または、ステップＳ１２５において、その時点での音量の情報が表示装置３０に送信された後、音響装置１０の音声出力部２０は、音声信号の出力を終了するか否かを判定する（ステップＳ１２６）。例えば、表示装置３０は、表示装置３０との接続を解除する指示をユーザから受け付けた場合に、音声信号の出力を終了すると判定する。
【００５３】
音声信号の出力を終了する場合（ステップＳ１２６においてＹＥＳの場合）、この音量制御処理は終了する。音声信号の出力を終了しない場合（ステップＳ１２６においてＮＯの場合）、ステップＳ１２２以降の処理を継続する。
【００５４】
なお、図７、図８のシーケンス図では、図２の例において、時刻ｔ１〜ｔ２の間にユーザによる音声調整操作を受け付けないこととしたが、その期間に音声調整操作を受け付けることとしてもよい。この場合も、音響装置１０の音量制御部１８は、その操作に応じて音量を変更し、音響装置１０の表示制御部１９は、その時点で実際に出力している音声信号の音量の情報を、目標音量の情報とともに表示装置３０に送信する。そして、表示装置３０は、それらの情報を受信し、受信した情報を表示する。
【００５５】
また、図７、図８のシーケンス図では、音響装置１０が音声信号を表示装置３０から受信し、受信した音声信号をヘッドホン４０に出力する場合について説明したが、音響装置１０が音声信号の音源であってもよい。この場合、表示装置３０から音声信号を受信するステップＳ１０１〜ステップＳ１０５の処理は不要となる。
【００５６】
また、図６に示したようなメッセージ７３を表示する場合、音響装置１０の表示制御部１９は、ステップＳ１１０、ステップＳ１１２の時点でメッセージ７３を表示するよう表示装置３０を制御する情報を表示装置３０に送信し、その情報を受信した表示装置３０がメッセージ７３を表示するようにすればよい。
【００５７】
あるいは、目標音量の情報や、その時点でヘッドホン４０に出力している音声信号の音量の情報を表示するとともに、音量についてユーザに注意を促す情報も同時に表示することとしてもよい。
【００５８】
また、本発明は上述した実施形態に限定されず、本発明の要旨を逸脱しない範囲内で各種の変形、修正が可能である。
【符号の説明】
【００５９】
１０…音響装置、１１…入力ボタン、１２…音量調整ダイヤル、１３…通信処理部、１４…ヘッドホン接続端子、１５…接続検出部、１６…スピーカー接続端子、１７…記憶部、１８…音量制御部、１９…表示制御部、２０…音声出力部、２１…制御部、３０…表示装置、４０…ヘッドホン、５０…スピーカー、６０，６１，６２…音量グラフ、７０…表示画面、７１…目標音量、７２…現在の音量、７３…メッセージ
【図１】
2013126060.tif 000003
【図２】
2013126060.tif 000004
【図３】
2013126060.tif 000005
【図４】
2013126060.tif 000006
【図５】
2013126060.tif 000007
【図６】
2013126060.tif 000008
【図７】
2013126060.tif 000009
【図８】
2013126060.tif 000010